(57)【要約】【課題】  伸縮及び／又は屈曲が可能な基材の表面に、断線の可能性が低い電気回路及び／又は電子回路の配線を形成することができる樹脂組成物を提供する。【解決手段】  （Ａ）導電性粒子、（Ｂ）１００％モジュラスが７ＭＰａ以上の熱可塑性ポリウレタン樹脂、及び（Ｃ）溶剤を含み、（Ａ）導電性粒子と（Ｂ）熱可塑性ポリウレタン樹脂との合計に対して（Ａ）導電性粒子の比率が９０重量％以上１００重量％未満である樹脂組成物である。【選択図】  なし【特許請求の範囲】
【請求項１】
（Ａ）導電性粒子、
（Ｂ）１００％モジュラスが７ＭＰａ以上の熱可塑性ポリウレタン樹脂、及び
（Ｃ）溶剤を含み、
（Ａ）導電性粒子と（Ｂ）熱可塑性ポリウレタン樹脂との合計に対して（Ａ）導電性粒子の比率が９０重量％以上１００重量％未満である樹脂組成物。
【請求項２】
（Ａ）導電性粒子と（Ｂ）熱可塑性ポリウレタン樹脂との合計に対する（Ａ）導電性粒子の比率が、９０重量％以上９５重量％以下である、請求項１に記載の樹脂組成物。
【請求項３】
（Ａ）導電性粒子が、Ａｇ、Ａｕ、Ｃｕ、Ｎｉ及びＴｉから選択される少なくとも一つ含む、請求項１又は２に記載の樹脂組成物。
【請求項４】
（Ｂ）熱可塑性ポリウレタン樹脂が、カプロラクトン系、エステル系、エーテル系及びカーボネート系から選択される少なくとも一つである、請求項１から３のいずれか１項に記載の樹脂組成物。
【請求項５】
（Ｃ）溶剤が、シクロヘキサノン、ジメチルホルムアミド、ジメチルアセトアミド及びベンジルアルコールから選択される少なくとも一つである、請求項１から４のいずれか１項に記載の樹脂組成物。
【請求項６】
請求項１から５のいずれか１項に記載の樹脂組成物を含む導電性ペースト。
【請求項７】
請求項６に記載の導電性ペーストの硬化物。
【請求項８】
請求項１から５のいずれか１項に記載の樹脂組成物を含む導電性膜又は導電性パターン。
【請求項９】
請求項７に記載の導電性ペースト硬化物、又は請求項８に記載の導電性膜若しくは導電性パターンを含む衣服。
【発明の詳細な説明】
【技術分野】
【０００１】
本発明は、伸縮及び／又は屈曲が可能な基材に電極を形成するために用いることのできる樹脂組成物に関する。また、本発明は、その樹脂組成物を含む導電性ペースト、及びその導電性ペーストの硬化物に関する。また、本発明は、その樹脂組成物を含む導電性膜又は導電性パターンに関する。さらに本発明は、その硬化物、導電性膜又は導電性パターンを含む衣服に関する。
【背景技術】
【０００２】
近年、伸縮及び屈曲が可能な基材に電極を形成するための導電性ペーストが開発されている。
【０００３】
例えば、特許文献１には、（ａ）機能性成分、及び（ｂ）５〜５０重量％（有機媒体の合計重量に対する重量百分率）の熱可塑性ポリウレタン樹脂を有機溶媒に溶解した有機媒体を含むポリマー厚膜組成物が記載されている。また、特許文献１には、熱可塑性ポリウレタン樹脂の伸長率が２００％以上であり、熱可塑性ポリウレタン樹脂が１００％の伸長に達するときの引張応力が、１０００ｐｓｉ以下（約６．８９５ＭＰａ以下）であることが記載されている。
【０００４】
特許文献２には、樹脂（Ａ）中に導電性フィラー（Ｂ）が均一に分散された導電性ペーストが記載されている。また、特許文献２には、樹脂（Ａ）が、スルホン化又は硫酸化したゴムに基づくポリアニオンをドーパントとして含む共役二重結合高分子の水分散体（Ａ１）であり、導電性フィラー（Ｂ）が、平均粒子径０．５〜１０μｍの金属粉（Ｂ１）であること、及び導電性ペーストの固形分中の樹脂（Ａ）及び導電性フィラー（Ｂ）の各配合量がそれぞれ５０〜８０体積％及び２０〜５０体積％であることが記載されている。
【０００５】
特許文献３には、第１のエラストマーからなる伸縮性基材と、導電性フィラー及び第２のエラストマーを含む伸縮性配線とを備える伸縮性配線板において、前記伸縮性基材と伸縮性配線との間であって、かつ前記伸縮性配線の下のみに伸縮性密着層が形成されていることを特徴とする伸縮性配線板が記載されている。
【先行技術文献】
【特許文献】
【０００６】
【特許文献１】国際公開第２０１６／０７３４６５号
【特許文献２】特開２０１５−６５１３９号公報
【特許文献３】特開２０１４−１５１６１７号公報
【発明の概要】
【発明が解決しようとする課題】
【０００７】
近年、伸縮及び／又は屈曲が可能な基材の表面に、電気回路及び／又は電子回路の配線を形成することが試みられている。このような基材に形成された配線の場合、基材の伸縮及び／又は屈曲により配線が断線する恐れがある。
【０００８】
そこで、本発明は、伸縮及び／又は屈曲が可能な基材の表面に、断線の可能性が低い電気回路及び／又は電子回路の配線を形成することができる樹脂組成物及びその硬化物を提供することを目的とする。また、本発明は、伸縮及び／又は屈曲が可能な基材の表面に、断線の可能性が低い電気回路及び／又は電子回路の配線のための導電性膜又は導電性パターンを提供することを目的とする。また、本発明は、導電性膜又は導電性パターンを含む衣服を提供することを目的とする。
【課題を解決するための手段】
【０００９】
上記課題を解決するため、本発明は以下の構成を有する。
【００１０】
（構成１）
本発明の構成１は、（Ａ）導電性粒子、（Ｂ）１００％モジュラスが７ＭＰａ以上の熱可塑性ポリウレタン樹脂、及び（Ｃ）溶剤を含み、（Ａ）導電性粒子と（Ｂ）熱可塑性ポリウレタン樹脂との合計に対して（Ａ）導電性粒子の比率が９０重量％以上１００重量％未満である樹脂組成物である。
【００１１】
本発明の構成１によれば、伸縮及び／又は屈曲が可能な基材の表面に、断線の可能性が低い電気回路及び／又は電子回路の配線を形成することができる樹脂組成物を提供することができる。
【００１２】
（構成２）
本発明の構成２は、（Ａ）導電性粒子と（Ｂ）熱可塑性ポリウレタン樹脂との合計に対する（Ａ）導電性粒子の比率が、９０重量％以上９５重量％以下である、構成１の樹脂組成物である。
【００１３】
本発明の構成２の樹脂組成物を用いて形成した配線を伸長した場合、伸長よる配線の電気抵抗の増加を低減することができる。
【００１４】
（構成３）
本発明の構成３は、（Ａ）導電性粒子が、Ａｇ、Ａｕ、Ｃｕ、Ｎｉ及びＴｉから選択される少なくとも一つ含む、構成１又は２の樹脂組成物である。
【００１５】
本発明の構成３によれば、金属被覆層が所定の金属を含むことにより、低い電気抵抗の電気回路及び／又は電子回路の配線を形成することができる。
【００１６】
（構成４）
本発明の構成４は、（Ｂ）熱可塑性ポリウレタン樹脂が、カプロラクトン系、エステル系、エーテル系及びカーボネート系から選択される少なくとも一つである、構成１から３のいずれかの樹脂組成物である。
【００１７】
本発明の構成４によれば、（Ｂ）熱可塑性ポリウレタン樹脂として所定の種類のポリウレタンを用いた樹脂組成物を用いることにより、伸縮及び／又は屈曲が可能な基材の表面に、断線の可能性が低い電気回路及び／又は電子回路の配線を形成することを確実にできる。
【００１８】
（構成５）
本発明の構成５は、（Ｃ）溶剤が、シクロヘキサノン、ジメチルホルムアミド、ジメチルアセトアミド及びベンジルアルコールから選択される少なくとも一つである、構成１から４のいずれかの樹脂組成物である。
【００１９】
本発明の構成５によれば、所定の溶媒を用いることにより、所定の熱可塑性ポリウレタン樹脂を確実に溶解することができる。その結果、配線形成のための樹脂組成物のスクリーン印刷等を容易にすることができる。
【００２０】
（構成６）
本発明の構成６は、構成１から５のいずれかの樹脂組成物を含む導電性ペーストである。
【００２１】
本発明の構成６の導電性ペーストを用いることにより、スクリーン印刷等の手段で、伸縮及び／又は屈曲が可能な基材の表面に、断線の可能性が低い電気回路及び／又は電子回路の配線を形成することができる。
【００２２】
（構成７）
本発明の構成７は、構成６の導電性ペーストの硬化物である。本発明の導電性ペーストを、スクリーン印刷等の手段によって電気回路及び／又は電子回路の配線の形状に形成し、硬化することにより、伸縮及び／又は屈曲が可能な基材の表面に、断線の可能性が低い電気回路及び／又は電子回路の配線を形成することができる。
【００２３】
（構成８）
本発明の構成８は、構成１から５のいずれかの樹脂組成物を含む導電性膜又は導電性パターンである。
【００２４】
本発明の構成８の導電性膜又は導電性パターンを、伸縮及び／又は屈曲が可能な基材の表面に形成して、電気回路及び／又は電子回路の配線とするならば、断線の可能性が低い配線を得ることができる。
【００２５】
（構成９）
本発明の構成９は、構成７の導電性ペースト硬化物、又は構成８の導電性膜若しくは導電性パターンを含む衣服である。
【００２６】
本発明の樹脂組成物である導電性ペーストを用いるならば、伸縮及び／又は屈曲が可能な衣服に、導電性ペースト硬化物、又は導電性膜若しくは導電性パターンとして配線を形成することができる。
【発明の効果】
【００２７】
本発明により、伸縮及び／又は屈曲が可能な基材の表面に、断線の可能性が低い電気回路及び／又は電子回路の配線を形成することができる樹脂組成物及びその硬化物を提供することができる。また、本発明により、伸縮及び／又は屈曲が可能な基材の表面に、断線の可能性が低い電気回路及び／又は電子回路の配線のための導電性膜又は導電性パターンを提供することができる。また、本発明により、導電性膜又は導電性パターンを含む衣服を提供することができる。
【発明を実施するための形態】
【００２８】
本発明は、（Ａ）導電性粒子、（Ｂ）１００％モジュラスが７ＭＰａ以上の熱可塑性ポリウレタン樹脂、及び（Ｃ）溶剤を含む樹脂組成物である。本発明の樹脂組成物は、（Ａ）導電性粒子と（Ｂ）熱可塑性ポリウレタン樹脂との合計に対して（Ａ）導電性粒子の比率が９０重量％以上１００重量％未満である。
【００２９】
本発明の樹脂組成物を含む導電性ペーストを用いて電気回路及び／又は電子回路の配線（単に「配線」ともいう。）を形成した場合、伸縮性及び屈曲性に優れた断線の可能性が低い配線を形成することができる。そのため、伸縮及び／又は屈曲が可能な基材の表面に配線を形成するために、本発明の樹脂組成物を好適に用いることができる。
【００３０】
本明細書において、「伸縮及び／又は屈曲が可能な基材」とは、衣服等を構成するための布、樹脂製の平板などの屈曲及び／又は伸縮が可能な素材、及び紙などを挙げることができる。ただし、本発明の樹脂組成物を用いて配線を形成することのできる基材は、これらに限定されるものではなく、他の伸縮及び／又は屈曲が可能な素材を含む基材であることができる。なお、本発明の樹脂組成物を用いて、伸縮及び／又は屈曲が可能でない基材に配線を形成することもできる。
【００３１】
本発明の樹脂組成物は、（Ａ）導電性粒子と（Ｂ）熱可塑性ポリウレタン樹脂との合計に対する（Ａ）導電性粒子の比率（単に、「導電性粒子の比率」という場合がある。）が、９０重量％以上１００重量％未満である。本発明の樹脂組成物を用いて形成した配線の伸長よる配線の電気抵抗の増加を低減するために、導電性粒子の比率は、９０重量％以上９９重量％以下であることが好ましく、９０重量％以上９８重量％以下であることがより好ましく、９０重量％以上９５重量％以下であることがさらに好ましい。
【００３２】
本発明の樹脂組成物は、（Ａ）成分として導電性粒子を含む。
【００３３】
本発明の樹脂組成物に含まれる導電性粒子は、Ａｇ、Ａｕ、Ｃｕ、Ｎｉ及びＴｉから選択される少なくとも一つ含むことが好ましい。導電性粒子が所定の金属を含むことにより、電気抵抗の低い配線を形成することができる。本発明の樹脂組成物に含まれる導電性粒子は、Ａｇ、Ａｕ、Ｃｕ、Ｎｉ及びＴｉから選択される少なくとも一つ含からなることがより好ましい。特に銀（Ａｇ）は電気伝導率が高い。そのため、導電性粒子としては、Ａｇ粒子（すなわち、Ａｇからなる金属粒子）を用いることが好ましい。なお、本明細書で「金属Ａからなる金属粒子」とは、不可避的に含有される不純が含まれることを排除することを意味しない。金属粒子以外の成分についても同様である。
【００３４】
導電性粒子の粒子形状及び粒子寸法（粒径又は粒子径ともいう）は、特に限定されない。粒子形状としては、例えば、球状及びリン片状等のものを用いることができる。導電性粒子の粒子寸法は、全粒子の積算値５０％の粒子寸法（Ｄ５０）により規定することができる。本明細書では、Ｄ５０のことを平均粒子径ともいう。なお、平均粒子径（Ｄ５０）は、マイクロトラック法（レーザー回折散乱法）にて粒度分布測定を行い、粒度分布測定の結果から求めることができる。
【００３５】
導電性粒子の平均粒子径（Ｄ５０）は、伸縮及び／又は屈曲に対する耐性及び作業性の点等から、０．５〜３０μｍであることが好ましく、１〜２０μｍであることがより好ましく、５〜１５μｍであることがさらに好ましく、５〜１０μｍであることが特に好ましい。平均粒子径（Ｄ５０）が上記範囲より大きい場合には、スクリーン印刷の際に目詰まり等の問題が生じる。また、平均粒子径が上記範囲より小さい場合には、焼成の際に粒子の焼結が過剰になり、伸縮及び／又は屈曲に対する耐性を有する配線の形成を充分に行うことができない。
【００３６】
また、導電性粒子の大きさを、ＢＥＴ値（ＢＥＴ比表面積）として表すことができる。導電性粒子のＢＥＴ値は、好ましくは０．１〜５ｍ２／ｇ、より好ましくは０．２〜２ｍ２／ｇ、さらに好ましくは０．５〜１．５ｍ２／ｇである。
【００３７】
本発明の樹脂組成物は、（Ｂ）成分として、１００％モジュラスが７ＭＰａ以上の熱可塑性ポリウレタン樹脂を含む。
【００３８】
本明細書において、「１００％モジュラス」とは、樹脂組成物を用いて所定の形状のパターンを形成した場合、パターンの伸びが１００％のとき（すなわち、パターンの長さが２倍になったとき）の配線の引張応力を意味する。したがって、「１００％モジュラス」とは、特許文献１（国際公開第２０１６／０７３４６５号）に記載されている１００％の伸長に達するときの引張応力と同義である。
【００３９】
本発明者らは、１００％モジュラスが７ＭＰａ以上の熱可塑性ポリウレタン樹脂を用い、熱可塑性ポリウレタン樹脂と、導電性粒子との比率を所定の範囲とすることにより、伸縮及び／又は屈曲が可能な基材の表面に配線を形成することのできる樹脂組成物を得ることができることを見出し、本発明に至った。
【００４０】
本発明の樹脂組成物は、（Ｂ）熱可塑性ポリウレタン樹脂が、カプロラクトン系、エステル系、エーテル系及びカーボネート系から選択される少なくとも一つであることが好ましい。熱可塑性ポリウレタン樹脂として所定の種類のポリウレタンを用いた樹脂組成物を用いることにより、伸縮及び／又は屈曲が可能な基材の表面に、断線の可能性が低い配線を形成することができる。
【００４１】
本発明の樹脂組成物は、本発明の効果を妨げない範囲で、熱可塑性樹脂、熱硬化性樹脂及び／又は光硬化性樹脂など、他の樹脂を含むことができる。ただし、好適な配線を得るためには、樹脂組成物に含まれる樹脂は、上述の熱可塑性ポリウレタン樹脂からなる樹脂であることが好ましい。
【００４２】
本発明の樹脂組成物は、（Ｃ）成分として溶剤を含む。
【００４３】
本発明の樹脂組成物に含まれる溶剤は、所定の熱可塑性ポリウレタン樹脂を溶解することのできる溶剤であれば特に限定されない。本発明の樹脂組成物では、溶剤が、シクロヘキサノン、ジメチルホルムアミド、ジメチルアセトアミド及びベンジルアルコールから選択される少なくとも一つであることが好ましく、ジメチルアセトアミドであることがより好ましい。所定の溶媒を用いることにより、所定の熱可塑性ポリウレタン樹脂を確実に溶解することができる。その結果、配線形成のための樹脂組成物のスクリーン印刷等を容易にすることができる。
【００４４】
溶剤の添加量は、熱可塑性ポリウレタン樹脂１００重量部に対し、１００〜１０００重量部であり、好ましくは２００〜６００重量部である。通常、熱可塑性ポリウレタン樹脂の重量の４倍程度の重量の溶剤を用いることにより、熱可塑性ポリウレタン樹脂を適切に溶解することができる。
【００４５】
なお、溶剤は、樹脂組成物の粘度の調整のために、樹脂組成物に対して、適宜、追加して添加することができる。
【００４６】
本発明は、上述の樹脂組成物を含む導電性ペーストである。
【００４７】
本発明の導電性ペーストは、上述の樹脂組成物のみからなる導電性ペーストであることができる。しかしながら、本発明の効果を妨げない範囲で、又は本発明の効果を向上するために、本発明の導電性ペーストは、上述の樹脂組成物以外の成分を含むことができる。例えば、本発明の導電性ペーストは、さらに、無機顔料、有機顔料、シランカップリング剤、レベリング剤、チキソトロピック剤及び消泡剤からなる群より選ばれる少なくとも１種を含むことができる。
【００４８】
本発明の導電性ペーストは、上述の樹脂組成物に含まれる成分と、場合によりその他の成分とを、流星型撹拌機、ディソルバー、ビーズミル、ライカイ機、三本ロールミル、回転式混合機、又は二軸ミキサー等の混合機に投入し、混合して製造することができる。このようにしてスクリーン印刷、浸漬、他の所望の塗膜又は配線形成方法に適する導電性ペーストに調製することができる。
【００４９】
本発明の導電性ペーストの粘度は、スクリーン印刷等の所定の塗膜又は配線形成方法に適切に用いることのできる粘度に調整することができる。粘度の調整は、溶剤の量を適切に制御することにより行うことができる。
【００５０】
本発明の導電性ペーストの粘度は、１００〜２５０Ｐａ・ｓｅｃ（１ｒｐｍで測定）、２５〜６０Ｐａ・ｓｅｃ（１０ｒｐｍで測定）、及び／又は５〜４０Ｐａ・ｓｅｃ（１００ｒｐｍで測定）であることが好ましく、１２０〜２００Ｐａ・ｓｅｃ（１ｒｐｍで測定）、３０〜５０Ｐａ・ｓｅｃ（１０ｒｐｍで測定）、及び／又は７〜３０Ｐａ・ｓｅｃ（１００ｒｐｍで測定）であることがより好ましい。なお、粘度の「（１ｒｐｍで測定）」とは、回転数１ｒｐｍで測定を行ったことを示す。
【００５１】
本発明の導電性ペーストのチクソトロピー指数は、１〜２５（１ｒｐｍ／１００ｒｐｍ）であることが好ましく、２〜２３（１ｒｐｍ／１００ｒｐｍ）であることがより好ましい。チクソトロピー指数の「（１ｒｐｍ／１００ｒｐｍ）」とは、１ｒｐｍで測定した粘度の測定値を、１００ｒｐｍで測定した粘度の測定値で除した値（１００ｒｐｍでの粘度に対する１ｒｐｍでの粘度の比）であることを示す。本明細書において、粘度は、ブルックフィールド粘度計：Ｂ型（ブルックフィールド社製）を用いて、２５℃で測定した値で示される。
【００５２】
本発明の導電性ペーストを用いることにより、スクリーン印刷等の手段で、伸縮及び／又は屈曲が可能な基材の表面に、断線の可能性が低い電気回路及び／又は電子回路の配線を形成することができる。
【００５３】
本発明は、上述の導電性ペーストの硬化物である。
【００５４】
本発明の導電性ペーストを、スクリーン印刷等の手段によって電気回路及び／又は電子回路の配線の形状に形成し、硬化することにより、伸縮及び／又は屈曲が可能な基材の表面に、断線の可能性が低い電気回路及び／又は電子回路の配線を形成することができる。導電性ペーストを硬化するための温度及び時間は、樹脂組成物に含まれる熱可塑性ポリウレタン樹脂の種類により、適切に選択することができる。導電性ペーストを硬化するための温度及び時間は、基材の耐熱性を考慮して、適宜、調整して決定することができる。例えば、導電性ペーストを硬化するための温度及び時間は、６０℃〜１８０℃で５分から６０分とすることができ、好ましくは８０〜１４０℃で５分から６０分、より好ましくは１１０〜１３０℃で２０〜４０分とすることができる。
【００５５】
本発明は、上述の樹脂組成物を含む導電性膜又は導電性パターンである。
【００５６】
上述の樹脂組成物を含む導電性ペーストを、所定の導電性膜又は導電性パターンになるように、所定の基材の表面にスクリーン印刷等の方法により印刷し、上述のように硬化させることにより、導電性膜又は導電性パターンを形成することができる。
【００５７】
本発明の導電性膜又は導電性パターンを、伸縮及び／又は屈曲が可能な基材の表面に形成して、電気回路及び／又は電子回路の配線とする場合、断線の可能性が低い配線を得ることができる。
【００５８】
本発明は、上述の本発明の導電性ペースト硬化物、又は上述の本発明の導電性膜若しくは導電性パターンを含む衣服である。
【００５９】
本発明の樹脂組成物である導電性ペーストを用いるならば、伸縮及び／又は屈曲が可能な衣服に、導電性ペースト硬化物、又は導電性膜若しくは導電性パターンとして配線を形成することができる。
【実施例】
【００６０】
以下、実施例により、本発明を具体的に説明するが、本発明はこれらに限定されるものではない。
【００６１】
＜導電性ペーストの材料及び調製割合＞
表１及び表２に、実施例及び比較例の導電性ペーストの組成を示す。なお、実施例及び比較例の導電性ペーストは、銀粒子（導電性粒子）、熱可塑性ポリウレタン樹脂及び溶剤からなる樹脂組成物である。
【００６２】
表３に、実施例及び比較例に用いた銀粒子の比表面積、タップ（ＴＡＰ）密度及び平均粒子径（Ｄ５０）を示す。タップ密度とは、粉体試料を入れた容器を機械的にタップした後に得られるかさ密度である。実施例及び比較例に用いた銀粒子は、下記の通りである。
銀粒子Ａ：ＡＡ−４０７１９（メタロー社製）。粒子形状は、鱗片状である。
銀粒子Ｂ：ＳＦ１３５（テクニック社製）。粒子形状は、鱗片状である。
【００６３】
表４に、実施例及び比較例に用いた熱可塑性ポリウレタン樹脂の１００％モジュラスを示す。実施例及び比較例に用いた熱可塑性ポリウレタン樹脂は、下記の通りである。
ポリウレタン樹脂Ａ： 熱可塑性ウレタンエラストマー、P-4090（大日精化工業株式会社製、カプロラクトン系ウレタン樹脂）
ポリウレタン樹脂Ｂ：熱可塑性ウレタンエラストマー、P-2294（大日精化工業株式会社製、エーテル系ウレタン樹脂）
ポリウレタン樹脂Ｃ：DESMOCOLL 406（Covestro社製、エステル系ウレタン樹脂）
【００６４】
実施例及び比較例に用いたポリウレタン樹脂は、ポリウレタン樹脂の重量の４倍の溶剤に溶解させたポリウレタン樹脂溶液として用いた。したがって、例えば、実施例１の場合には、２０重量部の溶剤（Ｎ，Ｎ−ジメチルアセトアミド）に対して５重量部のポリウレタン樹脂Ａを溶解したポリウレタン樹脂溶液を用いた。実施例１では、ポリウレタン樹脂溶液を銀粒子と混合する際に、粘度の調整のために、さらに６．５重量部の溶剤を追加した。そのため、実施例１の導電性ペースト（樹脂組成物）に含まれる溶剤の重量割合は、２６．５重量部になった。
【００６５】
実施例及び比較例に用いた溶剤は、Ｎ，Ｎ−ジメチルアセトアミド（和光純薬株式会社製）である。
【００６６】
次に、上述の所定の調製割合の材料を、プラネタリーミキサーで混合し、さらに三本ロールミルで分散し、ペースト化することによって導電性ペーストを調製した。
【００６７】
＜粘度の測定方法＞
実施例及び比較例の導電性ペーストの粘度は、ブルックフィールド社製（Ｂ型）粘度計を用いて２５℃の温度で測定した。粘度の測定は、実施例及び比較例のそれぞれの樹脂組成物に対して、１ｒｐｍ、１０ｒｐｍ及び１００ｒｐｍの回転速度で行った。チクソトロピー指数は、１ｒｐｍでの粘度の測定値を、１００ｒｐｍでの粘度の測定値で除した値とした。
【００６８】
＜電気抵抗値及び比抵抗の測定方法＞
アルミナ基板上に、実施例及び比較例の導電性ペースト（樹脂組成物）を、スクリーン印刷機で、幅：１ｍｍ、長さ：７１ｍｍの配線パターンを印刷し、定温乾燥機で、１２０℃で３０分間、加熱硬化させた。得られた配線パターンの硬化物（単に「配線パターン」という。）の膜厚は、（株）東京精密製表面粗さ形状測定機（型番：サーフコム１５００ＳＤ−２）を用いて測定した。配線パターンを伸長させない状態の電気抵抗値を、「初期抵抗値」とした。また、配線パターンの電気抵抗値は、（株）ＴＦＦケースレーインスツルメンツ製デジタルマルチメーター（型番：２００１）を用いて測定した。電気抵抗値及び配線パターンの寸法から、比抵抗を算出した。表１及び表２に、実施例及び比較例の初期抵抗値及び比抵抗を示す。
【００６９】
次に、配線パターンを長手方向に３０％伸長させた後の電気抵抗値を測定し、伸長後の電気抵抗値から初期抵抗値を差し引くことにより、電気抵抗値の差（ΔΩ）を算出した。表１及び表２に、実施例及び比較例の電気抵抗値の差（ΔΩ）を示す。なお、配線パターンを伸長させるために、ウレタンシートの表面に配線パターンを印刷した。ウレタンシートを伸長させることにより、配線パターンを所定の長さに伸長させ、伸長させた後の電気抵抗値を測定した。
【００７０】
＜実施例及び比較例の測定結果＞
比較例１及び２の導電性ペーストは、導電性粒子と熱可塑性ポリウレタン樹脂との合計に対して導電性粒子の比率が９０重量％以下だった。比較例１及び２の電気抵抗値の差（ΔΩ）は、それぞれ２９６Ω及び４４５Ωであり、パターンの伸長に伴い電気抵抗値が大きく上昇した。また、比較例２の導電性ペーストは、比抵抗が４１μΩ・ｃｍと高い値だった。
【００７１】
比較例３及び４の導電性ペーストは、熱可塑性ポリウレタン樹脂の１００％モジュラスが７ＭＰａ未満（３ＭＰａ）だった。比較例３及び４の比抵抗は、それぞれ６３μΩ・ｃｍ及び４０μΩ・ｃｍと高い値だった。また、電気抵抗値の差（ΔΩ）は、それぞれ１２８Ω及び１４４Ωであり、配線パターンの伸長に伴い電気抵抗値が比較的大きく上昇した。
【００７２】
これに対して、本発明の実施例１〜５の比抵抗は、３１μΩ・ｃｍ以下という低い値であり、比較例２〜４の比抵抗より低かった。また、本発明の実施例１〜５の電気抵抗値の差（ΔΩ）は、１２０Ω以下であり、比較例１〜４と比べて電気抵抗値の上昇は小さかった。
【００７３】
以上のことから、本発明の実施例１〜５の導電性ペーストを用いた場合には、比抵抗が低い配線パターンを得ることができ、配線パターンが伸長した場合にも、電気抵抗値の増加を低く抑えることができることが明らかになった。したがって、本発明の樹脂組成物を用いるならば、伸縮及び／又は屈曲が可能な基材の表面に、電気抵抗が低く、断線の可能性が低い電気回路及び／又は電子回路の配線を形成することができるといえる。
【００７４】
【表１】
2018104581.tif 000002
【００７５】
【表２】
2018104581.tif 000003
【００７６】
【表３】
2018104581.tif 000004
【００７７】
【表４】
2018104581.tif 000005